(57)【要約】【課題】テープの装着時からデータの読み出し開始までの処理時間を安価で信頼性の高い処理方式で短縮できる、回転ヘッドを用いたデジタルデータストレージ用の磁気記録再生装置を提供する。【解決手段】固有の識別コードを付加したカセットテープからその識別コードを読み取る手段と、前記カセットテープのシステム情報と等価なシステム情報を記憶した汎用メモリカードから前記カセットテープに対応するシステム情報を読み取る手段とを備えている。カセットテープを磁気記録再生装置にローディングした時、そのカセットテープの識別コードを読み取り、そのカセットテープに対応する必要なシステム情報をメモリカードから得ることにより処理時間を短縮する。【選択図】　図４
2004022062.tif 000002
【特許請求の範囲】
【請求項１】
テープ状の記録媒体を収めたカセットテープを用い、回転ヘッドによりデジタルデータを記録または再生する記録再生装置であって、
前記記録媒体に記録されているデジタルデータのうち、そのデジタルデータの記録容量や記録回数等の記録データの内容を示す基本情報（以下システム情報という）と同一の情報を記憶した不揮発性メモリ、
前記記録媒体に記録されているシステム情報の内容を示す識別コードをカセットケースの外面に表示したカセットテープ、及び
前記カセットテープの前記識別コードを読み取り、前記カセットテープのシステム情報と関連する前記不揮発メモリに記憶してあるシステム情報を再生して、回転ヘッドによりデジタルデータを記録または再生する管理装置、
を備えることを特徴とする記録再生装置。
【請求項２】
前記不揮発性メモリが記録再生装置に設けられている
ことを特徴とする請求項１に記載の記録再生装置。
【請求項３】
前記不揮発性メモリが可搬性の汎用の不揮発性メモリカードである
ことを特徴とする請求項１に記載の記録再生装置。
【請求項４】
ホストコンピュータからカセットテープに記録されているシステム情報の読み出し要求が出された場合、
前記カセットテープからシステム情報の読み出しの前に、不揮発性メモリに記録されている前記カセットテープに記録されているシステム情報と同一のシステム情報を読み出して前記ホストコンピュータに送ることでシステム情報を高速で読み出す
ことを特徴とするシステム情報の読み出し方法。
【請求項５】
前記不揮発性メモリに記録されたシステム情報をホストコンピュータに送った後、
前記カセットテープに記録されているシステム情報を読み出し、読み出したシステム情報と前記不揮発性メモリに記録されたシステム情報とを比較し、そのシステム情報の内容が異なっている場合は、
前記記録媒体に記録されているシステム情報を再度ホストコンピュータに送り出す
ことを特徴とした請求項４に記載のシステム情報の読み出し方法。
【請求項６】
システム情報を記録する前記不揮発性メモリに、
複数のカセットテープのシステム情報と前記複数のカセットテープの固有の識別コードとを対応させて記憶させる
ことを特徴とする請求項４に記載のシステム情報の読み出し方法。
【請求項７】
固有の識別コードが設けられたカセットテープと、前記カセットテープの識別コードに対応するシステム情報が記録された汎用メモリカードとが記録再生装置に挿入された場合に、
前記カセットテープの識別コードと前記汎用メモリカードに記録されている識別コードとが一致しているときは、前記識別コードに対応するシステム情報を読み出してホストコンピュータに送る工程、
前記カセットテープに記録されているシステム情報を読み出し、前記汎用メモリカードに記録されている前記識別コードに対応するシステム情報とを比較する工程、及び
前記比較する工程においてカセットテープに記録されているシステム情報と前記汎用メモリカードに記録されている前記識別コードに対応するシステム情報とが異なっている場合に、前記カセットテープに記録されているシステム情報を再度ホストコンピュータに送る工程
を有することを特徴とする請求項４に記載のシステム情報の読み出し方法。
【請求項８】
前記カセットテープに設ける固有の識別コードが前記カセットテープの記録再生装置への挿入方向に対応したバーコードで形成され、
前記カセットテープの記録再生装置への挿入時に、記録再生装置に設けられた読み取り装置が前記バーコードの読み取りを行なう
ことを特徴とする請求項７に記載のシステム情報の読み出し方法。
【請求項９】
バーコードを含む固有の識別コードを設けたカセットテープを記録再生装置に挿入したときに前記識別コードを読み込む工程、
読み込んだ前記識別コードが不揮発メモリに記録されている識別コードと一致した場合に、不揮発性メモリに記憶されている前記識別コードに対応するシステム情報をホストコンピュータに転送する工程、
前記カセットテープに記録されているシステム情報を読み出し、前記汎用メモリカードに記録されている前記識別コードに対応するシステム情報とを比較する工程、及び
前記比較する工程においてカセットテープに記録されているシステム情報と前記汎用メモリカードに記録されている前記識別コードに対応するシステム情報とが一致しない場合に、前記カセットテープに記録されているシステム情報を読み出してホストコンピュータに送る工程
を有することを特徴とするシステム情報の記録再生方法。
【請求項１０】
複数のカセットテープが設けられているローダータイプの記録再生装置において、
前記記録再生装置に設けられているそれぞれのカセットテープの位置を固有の識別コードとし、前記それぞれのカセットテープのシステム情報を前記固有の識別コードと対応させて不揮発性メモリに記録する
ことを特徴とする請求項９に記載のシステム情報の記録再生方法。
【請求項１１】
前記不揮発メモリに記録されたシステム情報に対して、カセットテープにデータの記録再生に応じて異なるシステム情報を追加記録する場合、
前記カセットテープの固有の識別コードと前記カセットテープに記録されているシステム情報とを前記不揮発性メモリに上書きする
ことを特徴とする請求項９に記載のシステム情報の記録再生方法。
【請求項１２】
前記不揮発メモリに記録されたシステム情報に対して、カセットテープにデータの記録再生に応じて異なるシステム情報を追加記録する場合、
同じ識別コードに対して異なるシステム情報を順次追加して記録していき、読み出し時には最新の情報を出力し、記録更新経過情報が必要とされる場合には過去の情報を読み出せるようにする
ことを特徴とする請求項９に記載のシステム情報の記録再生方法。
【発明の詳細な説明】
【０００１】
【発明の属する技術分野】
本発明は、テープ状の記録媒体にデータを記録再生するデジタルデータストレージ装置に関する。本発明のある態様のものは特にカセットテープの形の磁気記録媒体に記録されているシステム情報と同じシステム情報を記憶した不揮発メモリを有する磁気記録再生装置及びそのシステム情報の読み出し方法並びにその記録再生方法に関する。
【０００２】
【従来の技術】
回転シリンダーを用いて磁気テープに斜めにデータを記録する磁気記録再生装置をコンピュータデータの大容量バックアップメモリ装置として利用し、４ｍｍ幅や８ｍｍ幅等のカセットテープを用いたデジタルデータストレージ装置がある。
これらのデジタルデータストレージ装置の記録フォーマットとして、４ｍｍ幅の磁気テープ規格の代表例としてＥＣＭＡ−２２６規格（以下、ＤＤＳ３規格と称する）等があり、８ｍｍ幅の磁気テープ規格の代表例としてＥＣＭＡ−２９２規格（以下ＡＩＴ−２規格と称する）等がある。
【０００３】
このＤＤＳ３規格の記録フォーマットについて図３を参照しつつ説明する。
図３に示すように、ＤＤＳ３規格等ではデータ記録済みの磁気テープ３０１において、その磁気テープ３０１の記録領域のテープ進行方向３０３の先頭部分３０２にシステムエリアと呼ばれる、磁気テープに記録されたユーザーデータ３０８の内容情報（データ記録容量や記録回数等の記録データに関する基本情報：以下システム情報という）を記録する領域３０５が設けられている。矢印３０４の方向に回転ヘッドで磁気テープをトラッキングして磁気テープ３０１からユーザーデータ３０８を読み出す前に、このシステムエリア３０５から同様に回転ヘッドでトラッキングしてシステム情報を読み出していた。このシステム情報により磁気記録再生装置は磁気テープに記録されているデータに関する情報を認識していた。
【０００４】
またＡＩＴ２規格等では、ＤＤＳ３規格と同様にデータ記録済みの磁気テープにおいて、その磁気テープの記録領域の先頭部分にシステムエリアが存在するとともに、このシステムエリアに記録されているシステム情報と等価な情報がカセットテープに付加されている不揮発性メモリチップにも記録されている。
【０００５】
【発明が解決しようとする課題】
ＤＤＳ３規格のカセットテープに記録されているデータを読み出す場合、記録済みのカセットテープが挿入された後、まずカセットテープの先頭部分のシステムエリアで回転シリンダーによるトラッキングが行われ、システム情報が読み出される。このシステム情報によりユーザーが必要とするデータを読み出すための準備ができる。
そして必要とするデータに応じてカセットテープ中のそのデータが記録されている特定場所へサーチ動作によりカセットテープが早送りされ、その特定場所に記録されているデータを読み出し、エラー訂正等の信号処理を経てホストコンピュータに書き込まれたデータが転送される。
前述のシステムエリアでのトラッキングにおいては、個々のカセットテープに固有のトラッキング用パラメータを計算するためのキャリブレーション動作が必要となる。このため最初にシステム情報が読み出せるようになるまでには、通常十数秒から数十秒の準備期間が必要となる。
【０００６】
カセットテープの挿入から必要なシステム情報を読み出すためのこのような準備時間を短縮する手段として、カセットテープに記録されているシステム情報と同等の情報を記録した半導体メモリチップをカセットテープに付加することがＡＩＴ３規格や特開平０９−９７４６１号公報に示されている。すなわちカセットテープの挿入時に、この半導体メモリチップに記録されているシステム情報を最初に直接半導体メモリチップから読み出すことで、数秒以内でシステム情報を読み出せるようにしている。
このようにカセットテープに半導体メモリチップを付加するとシステム情報の読み出し速度は高速化されるものの、カセットテープ自体の製造コストが高価になり、かつ半導体メモリチップに記録されているデータの読み出し回路が必要となってくる。その結果カセットテープや磁気記録再生装置が高価格化するという問題があった。
特に通常コンピュータデータのバックアップ用途として用いられるデジタルデータストレージ装置においては、データ記録用のカセットテープは消耗品として安価な量産品が多量に使用される。そのためカセットテープの高価格化はバックアップシステムの維持費の高価格化につながるという問題があった。
【０００７】
本発明はカセットテープ中に記録されたシステム情報と同一の内容のシステム情報を回転ヘッドのトラッキングをすることなしに不揮発メモリから直接読み出すようにすることで、カセットテープに記録されているデータ容量等の必要なシステム情報を高速に読み出すことができる磁気記録再生装置を提供することを目的とする。
【０００８】
【発明を解決するための手段】
本発明の記録再生装置は、カセットテープ状の記録媒体を収めたカセットテープを用い、回転ヘッドによりデジタルデータを記録または再生する記録再生装置であって、前記記録媒体に記録されているデジタルデータのうち、システム情報と同一の情報を記憶した不揮発性メモリ、前記記録媒体に記録されているシステム情報の内容を示す識別コードをカセットケースの外面に表示したカセットテープ、及び前記カセットテープの前記識別コードを読み取り、前記カセットテープのシステム情報と関連する前記不揮発メモリに記憶してあるシステム情報を再生して、回転ヘッドによりデジタルデータを記録または再生する管理装置を備えている。
【０００９】
この構成によれば、カセットテープに記録されたシステム情報と同一の内容を記録したシステム情報を回転ヘッドのトラッキングなしに、不揮発メモリから直接読み出すことができる。その結果カセットテープに記録されているデータ容量等の必要なシステム情報を高速に読み出すことができる。また記録後のカセットテープを別の記録再生機器でデータ再生を行なう場合においてもデータを記録したカセットテープとそのシステム情報を書き込んだメモリカードを用いることで同様に高速にシステム情報が読み出せるため、データの再生あるいはデータの追加書きの開始が高速に始められる。
さらに本発明を用いない記録再生機器でのデータ再生においては、規格に対してまったく影響を与えない方式であるため、従来の記録済みカセットテープに対する記録再生と同じ方式で記録再生が可能であり、互換性に何ら問題は発生しない。
【００１０】
上記構成の記録再生装置において、システム情報と同一の情報を記憶するための不揮発性メモリが記録装置に設けられている、または可搬性を持つ汎用不揮発性メモリカードを用いるのが好ましい。
【００１１】
本発明のシステム情報の読み出し方法は、ホストコンピュータからカセットテープ内の記録媒体に記録されているシステム情報の読み出し要求が出された場合、前記記録媒体に記録されているシステム情報と同一の不揮発性メモリに記録されているシステム情報を前記ホストコンピュータに送ることで、システム情報の読み出し速度を高速化することを特徴とする。
この構成によれば、カセットテープに記録されたシステム情報と同一の内容を記録したシステム情報を回転ヘッドのトラッキングなしに、不揮発メモリから直接読み出すことができる。その結果システム情報の読み出し速度を向上することができる。
【００１２】
本発明の他の観点によるシステム情報の読み出し方法は、固有の識別コードが設けられたカセットテープと、前記カセットテープの識別コードに対応するシステム情報が記録された汎用メモリカードとが記録再生装置に挿入された場合に、前記カセットテープの識別コードと前記汎用メモリカードに記録されている識別コードとが一致しているときは、前記識別コードに対応するシステム情報をホストコンピュータに送る工程、前記カセットテープに記録されているシステム情報を読み出し、前記汎用メモリカードに記録されている前記識別コードに対応するシステム情報とを比較する工程、及び前記カセットテープに記録されているシステム情報と前記汎用メモリカードに記録されている前記識別コードに対応するシステム情報とが異なっている場合に、前記カセットテープに記録されているシステム情報を再度ホストコンピュータに送る工程を有している。
【００１３】
この構成によれば、メモリカードに記録されたデータを確認することができ、読み出したシステム情報の信頼性を高めることができる。さらにシステム情報を記録する不揮発性メモリ中に複数のカセットテープのシステム情報をカセットテープの固有識別番号とともに記憶させるのが好ましい。これにより複数のカセットテープのシステム情報の中から必要なシステム情報だけを高速に読み出しできる。
また前記カセットテープに設ける固有の識別コードが前記カセットテープの記録再生装置への挿入方向に対応したバーコードで形成されているのが好ましい。これにより前記カセットテープの記録再生装置への挿入時に、前記バーコードの読み取りを行なうことができる。
【００１４】
本発明のシステム情報の記録再生方法は、バーコードを含む固有の識別コードを設けたカセットテープを記録再生装置に挿入したときに前記識別コードを読み込む工程、読み込んだ前記識別コードが不揮発メモリに記録されている識別コードと一致した場合に、不揮発性メモリに記憶されている前記識別コードに対応するシステム情報をホストコンピュータに転送する工程、及び読み込んだ前記識別コードが不揮発メモリに記録されている識別コードと一致しない場合に、前記カセットテープに記録されているシステム情報をホストコンピュータに転送するとともに、前記カセットテープの固有の識別コードと前記カセットテープに記録されているシステム情報とを前記不揮発性メモリに追加記録する工程を有している。
【００１５】
この構成によればカセットテープを記録再生装置に挿入すると同時に、挿入されたカセットテープのシステム情報を不揮発メモリから読み出すことができホストコンピュータに高速にシステム情報を転送することができる。さらに読み込んだ前記識別コードが不揮発メモリに記録されている識別コードと一致しない場合に、前記カセットテープに記録されているシステム情報をホストコンピュータに転送するとともに、前記カセットテープの固有の識別コードと前記カセットテープに記録されているシステム情報とを前記不揮発性メモリに追加記録することにより、不揮発メモリに記録されたデータを確認することができ、読み出したシステム情報の信頼性を高めることができる。
【００１６】
上記構成のシステム情報の記録再生方法において、複数のカセットテープが設けられているローダータイプの記録再生装置では、前記記録再生装置に設けられているそれぞれのカセットテープの位置を固有の識別コードとし、前記それぞれのカセットテープのシステム情報を前記固有の識別コードと対応させて不揮発性メモリに記録するのが好ましい。これにより複数のカセットテープが設けられているローダータイプの記録再生装置においても、高速に信頼性の高いシステム情報を得ることができる。
【００１７】
また前記不揮発メモリに記録されたシステム情報に対して、カセットテープにデータの記録再生に応じて異なるシステム情報に更新する場合、前記カセットテープの固有の識別コードと前記カセットテープに記録されているシステム情報とを前記不揮発性メモリに上書きするのが好ましい。
あるいは前記不揮発メモリに記録されたシステム情報を、カセットテープにデータの記録再生に応じて異なるシステム情報に更新する場合、同じ識別コードに対して異なるシステム情報を順次追加して記録し、読み出し時には最新の情報を出力し、記録更新経過情報が必要とされる場合には過去の情報を読み出せるようにするのが好ましい。
これらのことにより、不揮発メモリに記録されているシステム情報を常に最新のものにすることができるとともに、その記録更新経過情報を確認することができる。
【００１８】
【発明の実施の形態】
以下本発明の磁気記録再生装置の好適な実施例について添付の図面を参照しつつ説明する。
【００１９】
《実施例１》
図１は、実施例１の磁気記録再生装置の外観を示す斜視図である。
図１において、実施例１の磁気記録再生装置１０１は、データを記録再生するための磁気カセットテープ２０１を挿入するための磁気カセットテープ挿入口１０２、及び磁気カセットテープに記録されているシステム情報と同等の情報を記録再生するための汎用不揮発性メモリカードの挿入口１０３を備えている。
図２は、実施例１の磁気記録再生装置に用いる固有識別コードとしてのバーコード２０２を付加した磁気カセットテープ２０１の斜視図である。
図２に示すように、本実施例１に用いる磁気カセットテープ２０１の裏面には、磁気カセットテープ２０１の挿入方向と同じ方向にカセット識別用のバーコード２０２が設けられている。
【００２０】
図１に示す磁気記録再生装置１０１の磁気カセットテープ挿入口１０２に磁気カセットテープ２０１を挿入した場合、図示しない磁気記録再生装置１０１のバーコード読み取り装置により、磁気カセットテープ２０１が磁気記録再生装置１０１に挿入される動作に連動してバーコード２０２を走査して磁気カセットテープの識別コードを読み取ることができる。
一方汎用不揮発性メモリカードの挿入口１０３より挿入された汎用不揮発性メモリカードには、予め複数の磁気カセットテープ２０１の識別コードに対応したそれぞれの磁気カセットテープに記録されているシステム情報と同等の情報が記録されている。
【００２１】
図３を参照しつつＤＤＳ３規格における磁気カセットテープの記録データの構成について説明する。
図３に示すように、回転シリンダーにより磁気カセットテープ３０１に斜め記録された記録トラック３０６の中で、磁気カセットテープの先頭部分３０２の領域はシステム情報領域３０５として記録されたデータの容量やブロックサイズや過去の記録ログ情報等、ホストコンピュータがデータを読み出すあるいは追加書きする場合に必要となるシステム情報が書き込まれている。そのシステム情報領域３０５の後に続いてユーザーが記録したデータが書き込まれているユーザーデータ領域３０６が続いている。
すなわち従来の磁気記録再生装置では、まずシステム情報領域３０５を読み出し、読み出したシステム情報に基づいて読み出すべきユーザーデータ３０８の先頭位置を計算し、必要な位置まで磁気カセットテープ送りを行なった後、ユーザーデータ３０８の読み出しを行なう。このように従来の磁気記録再生装置では、データの読み出しに先立ちシステム情報を読み出す期間が必要であった。
【００２２】
実施例１の磁気記録再生装置によれば、磁気カセットテープに記録されているシステム情報に対応したシステム情報を直接汎用不揮発性メモリカードから得ることができる。このことにより磁気カセットテープ２０１を挿入して、その磁気カセットテープを再生して記録されているシステム情報を読み取ることなしに挿入された磁気カセットテープに対応したシステム情報を得ることができる。
【００２３】
以下図４のフローチャートを参照しつつ実施例１の磁気記録再生装置におけるデータ再生時の処理について詳細に説明する。
図４に示すように、ステップＳ４０１においてメモリカードが磁気記録再生装置に挿入されているか否かを判断する。
メモリカードが挿入されていない場合、上述した従来のものと同様の処理をおこなう。すなわちステップＳ４１０で磁気カセットテープのローディングを行ない、ステップＳ４１１で磁気カセットテープ再生時のトラッキング処理等の時間待ちを経て、ステップＳ４１２で記録磁気カセットテープ先頭部分にあるシステム領域の情報を読み取る。そしてステップＳ４１３において必要に応じてユーザーデータ（図３の３０８）の先頭位置まで磁気カセットテープ送りを行なった後、磁気カセットテープよりデータを読み出し、再生機器による信号処理を行なった後、ホストコンピュータにデータ転送を行なう。その後ステップＳ４１４で磁気カセットテープに記録されているシステム情報を更新し再生動作は終了する。
【００２４】
ステップＳ４０１においてメモリカードが挿入されている場合、ステップＳ４０２にて磁気カセットテープの挿入と共に磁気カセットテープに付加された識別コードの読み取りを行なう。次にステップＳ４０３においてメモリカード内の記録情報のチェックを行ない、メモリカード内に挿入された磁気カセットテープに対応するシステム情報の記録が無ければステップＳ４０８に移る。
【００２５】
メモリカード内に挿入された磁気カセットテープに対応するシステム情報の記録データがあれば、ステップＳ４０４に移り、磁気カセットテープから読み出された識別コードとメモリ内の識別コードが一致しているかどうかをチェックする。
ステップＳ４０４において、識別コードが異なっていれば、メモリカードに対応するシステム情報が記録されていないと判断する。この場合はステップＳ４０８に移り、挿入された磁気カセットテープのシステム情報領域が読み出されるまで時間待ちをする。ステップＳ４０９において、磁気カセットテープからシステム情報の読み出しを行なう。
【００２６】
一方ステップＳ４０４において、識別コードが一致している場合は、ステップＳ４０５でメモリカードからシステム情報を読み出す。ステップＳ４０６において、メモリカードから読み出したシステム情報に応じてユーザーデータの先頭位置まで磁気カセットテープ送りを行なう。その後磁気カセットテープから所定のユーザーデータを読み出し、信号処理を行なった後、ホストコンピュータにユーザーデータの転送を行なう。ステップＳ４０６のデータ転送処理の完了後磁気カセットテープが排出されるまでにステップＳ４０７において、その磁気カセットテープのシステム情報にしたがってメモリカードのシステム情報を同じ値の情報に更新して一連の処理が完了する。
上記実施例のカセットテープは磁気テープを収納したものを例示した。上記の他に光磁気記録媒体（ＭＯフィルム）のテープを収納したカセットテープを用いても同様の効果が期待できる。
【００２７】
《実施例２》
図５は、実施例２の磁気記録再生装置におけるユーザーデータの記録時における処理の手順を示すフローチャートである。実施例２の磁気記録再生装置は、いわゆるカセットローダー等の１台の装置で複数の磁気カセットテープに対してユーザーデータを記録再生する磁気記録再生装置である。実施例２の磁気記録再生装置は実施例１のものとは磁気カセットテープ搭載部分に複数の磁気カセットテープが搭載されるようになっている点のみが異なるものなので装置の構成についての説明は省略する。この場合には各磁気カセットテープに独立してシステム情報が存在する。
【００２８】
前述した一般的なシステム情報は、１本の磁気カセットテープあたり４Ｋバイト〜１６Ｋバイト程度のデータ量を持っている。また汎用のメモリカードは８Ｍバイト以上のデータ量を記憶するメモリ容量を有している。そのためメモリカードには、カセットの番号や日付等の付加情報を含めても、１枚で最低数百本以上の磁気カセットテープのシステム情報のデータを格納することができる。
これらのことより実施例２の磁気記録再生装置によれば、複数の磁気カセットテープのシステム情報を１枚のメモリカードで管理することができる。それにより、複数の磁気カセットテープについての、ローディング動作からユーザーデータの再生または記録動作が行われるまでの時間を短縮することが可能となる。
【００２９】
図５を参照しつつ実施例２の磁気記録再生装置におけるユーザーデータの記録時における処理について詳細に説明する。
最初にステップＳ５０１においてメモリカードが磁気記録再生装置に挿入されているか否かを判断する。
メモリカードが挿入されていない場合、ステップＳ５１０で磁気カセットテープのローディングを行なう。ステップＳ５１１で磁気カセットテープ再生時のトラッキング処理等の時間待ちを経て、ステップＳ５１２で磁気カセットテープの先頭部分にあるシステム領域を読み取る。そしてステップＳ５１３において必要に応じてユーザーデータの先頭位置あるいは記録開始位置まで磁気カセットテープ送りを行なう。その後、ホストコンピュータから送られてきたデータに対して、信号処理を行って記録規格に合わせてフォーマットし、磁気カセットテープに記録する。次にステップＳ５１４で磁気カセットテープに記録されているシステム情報を更新し記録動作は終了する。
【００３０】
ステップＳ５０１においてメモリカードが挿入されていると判断した場合、ステップＳ５０２において、磁気カセットテープの挿入とともにカセットローダー内での磁気カセットテープの位置情報（すなわちカセット番号）を識別する。次にステップＳ５０３においてメモリカードに記録されているシステム情報のチェックを行ない、メモリカード内に挿入されたカセット番号の記録がなければステップＳ５０８に移る。メモリカード内に挿入されたカセット番号の記録があれば、ステップＳ５０４に移り、そのカセット番号に対応するシステム情報がメモリカード内に記録されているかどうかをチェックする。
ステップＳ５０４において、該当するカセット番号のシステム情報の記録がない場合、ステップＳ５０８で、挿入された磁気カセットテープのシステム情報が読み出されるまで時間待ちをする。その後ステップＳ５０９においてその磁気カセットテープからシステム情報の読み出しを行なう。
【００３１】
一方ステップＳ５０４において、該当するカセット番号のシステム情報の記録あった場合は、ステップＳ５０５でメモリカードからその磁気カセットテープに対応するシステム情報を読み出す。そしてステップＳ５０６において、読み出したシステム情報に応じてユーザーデータの先頭位置あるいは記録開始位置まで磁気カセットテープ送りを行なう。その後ホストコンピュータから送られてきたデータに対して信号処理を行って、記録データ規格に合わせてフォーマットして磁気カセットテープに記録する。
ステップＳ５０６におけるデータ記録処理が終了後磁気カセットテープが排出される。ステップＳ５０７においてはその排出までの間に、新たに記録したデータに対応するシステム情報が更新される。メモリカードのシステム情報も磁気カセットテープの情報更新と同様、最新の同じ値のログ情報に更新する。
あるいは別のやり方として、使用者の希望によって予め設定されている条件に従って古いシステム情報を保持したままとし、メモリカード中に新規なシステム情報を追加し、一連の処理を完了する。
実施例１の末尾に述べたのと同様に、磁気カセットテープの他に光磁気記録媒体のテープを収納したカセットテープを用いても同様の効果が期待できる。
【００３２】
《実施例３》
図６は本発明の実施例３の磁気記録再生装置におけるデータ再生時における処理フローを示すフローチャートである。
実施例３の磁気記録再生装置は、重要なデータの消失を防止してより信頼性を向上させた処理フローを有する。その他の点の装置の構成についての重複する説明は省略する。
実施例１及び実施例２の磁気記録再生装置においては、磁気カセットテープに記録されているシステム情報とメモリカードに記録されているシステム情報とが同一かどうかの判断を、識別コードが同一かどうかを調べることにより行っている。しかしながら万一磁気カセットテープに記録されたシステム情報とメモリカード中のシステム情報が異なっていた場合には、誤った上書きなどにより重要なデータを消失するおそれがある。これに対し実施例３の磁気記録再生装置は、下記に述べる処理フローを用いてこの重要なデータの消失を防止し、より信頼性を向上させることができる。
【００３３】
図６を参照しつつ実施例３の磁気記録再生装置におけるユーザーデータの再生時における処理について詳細に説明する。
図６に示すように、最初にステップＳ６０１において、メモリカードが磁気記録再生装置に装着されているか否かを判断する。メモリカードが装着されていない場合は、従来の再生機器と同様の処理をおこなう。すなわちステップＳ６１０で磁気カセットテープのローディングを行ない、ステップＳ６１１で磁気カセットテープ再生時のトラッキング処理等の時間待ちを経て、ステップＳ６１２で記録磁気カセットテープ先頭部分にあるシステム領域の情報を読み取る。そしてステップＳ６１３において必要に応じてユーザーデータの先頭位置まで磁気カセットテープ送りを行なった後、磁気カセットテープよりデータを読み出す。読み出したデータについて再生機器による信号処理を行なった後、ホストコンピュータにデータ転送を行なう。その後ステップＳ６１４で磁気カセットテープに記録されているシステム情報を更新し再生動作は終了する。
【００３４】
ステップＳ６０１においてメモリカードが装着されていると認識された場合、ステップＳ６０２にて磁気カセットテープの挿入とともに磁気カセットテープに付加された識別コードの読み取りを行なう。次にステップＳ６０３においてメモリカードに記録されているシステム情報のチェックを行なう。メモリカード内に挿入された磁気カセットテープに対応するシステム情報がなければステップＳ６０８に移る。メモリカード内に挿入された磁気カセットテープに対応するシステム情報の記録があれば、ステップＳ６０４に移る。ステップＳ６０４では磁気カセットテープから読み出された識別コードとメモリカードに記録されている識別コードとが一致しているかどうかをチェックする。
【００３５】
ステップＳ６０４において、識別コードが異なっている場合はステップＳ６０８に移る。ステップＳ６０８では挿入された磁気カセットテープのシステム情報が読み出されるまで時間待ちをしたうえで、ステップＳ６０９において磁気カセットテープからシステム情報の読み出しを行なう。
一方ステップＳ６０４において、識別コードの一致が検出された場合は、ステップＳ６０５でメモリカードから挿入された磁気カセットテープに対応するシステム情報を読み出す。
【００３６】
この後ステップＳ６１５において読み出すユーザーデータの先頭位置を検索するために磁気カセットテープ早送りを行なうが、このとき磁気カセットテープの先頭位置にあるシステム情報領域も通過する。回転シリンダーで記録したデータの場合、磁気カセットテープの早送り中においてもシリンダー回転を適切な値に設定して、ＩＤ情報を読みとることができる公知の機能（サーチ機能）を利用することができる。この機能によりシステム領域の情報も磁気カセットテープ早送り中に読み出すことができる。その場合はこの機能を用いてステップＳ６１６において、メモリカードに予め記録されているシステム情報とサーチ機能で検出された磁気カセットテープのシステム情報との単純比較を行なう。両者のシステム情報が一致していればそのまま動作を継続しステップＳ６０６を実行する。
比較の結果両者のシステム情報が異なっていればステップＳ６１７で再度リードデータの読み込み処理を行なう。
【００３７】
ステップＳ６０６では、システム情報によりユーザーが必要とするユーザーデータの先頭位置まで磁気カセットテープ送りを行ない、磁気カセットテープよりデータを読み出す。再生機器による信号処理を行なった後、ホストコンピュータにデータ転送を行なう。ステップＳ６０６のデータ転送処理の完了後、磁気カセットテープが排出されるまでにステップＳ６０７において磁気カセットテープのシステム情報及びメモリカードのシステム情報は最新の同一の情報に更新されて一連の処理が完了する。
【００３８】
このようにして実施例３の磁気記録再生装置によれば、磁気カセットテープに記録されたシステム情報とメモリカード中のシステム情報が異なっていた場合重要なデータを消失することを防止することができる。従って、サーチ機器の利用によってシステム情報の読み取り処理の処理パフォーマンスを低下させることなく、より信頼性の高い再生処理を行なうことが可能となる。
上記実施例のカセットテープは磁気テープを収納したものを例示した。上記の他に光磁気記録媒体（ＭＯフィルム）のテープを収納したカセットテープを用いても同様の効果が期待できる。
【００３９】
【発明の効果】
以上実施例で詳細に説明したように、本発明の磁気記録再生装置は、カセットテープのシステム情報と等価なシステム情報を記録した不揮発メモリを有している。このため従来の装置との互換性を保ちながら高速にシステム情報を読み出すことが可能となり、カセットテープからのシステム情報に対応するユーザーデータの記録再生領域へのアクセス時間の短縮ができる。
カセットローダー等、複数のカセットテープを使った磁気記録再生装置におけるデータの記録再生処理の場合はカセットテープの出し入れが頻繁に行なわれる。このため上記のアクセス時間の短縮の結果、全体の処理パフォーマンスの向上が顕著である。
【図面の簡単な説明】
【図１】本発明の実施例１の磁気記録再生装置の外観を示す斜視図
【図２】実施例１の磁気記録再生装置における固有識別コードを付加した磁気カセットテープの外観を示す斜視図
【図３】ＤＤＳ３規格における磁気カセットテープの記録データの構成図
【図４】本発明の実施例１の磁気記録再生装置のデータ再生時における処理フローを　示すフローチャート
【図５】本発明の実施例２の磁気記録再生装置のデータ記録時における処理フローを　示すフローチャート
【図６】本発明の実施例３の磁気記録再生装置のデータ再生時における処理フローを　示すフローチャート
【符号の説明】
１０１　磁気記録再生装置
１０２　カセット挿入口
１０３　汎用メモリカード挿入口
２０１　テープカセット（裏面）
２０２　バーコード（カセットの固有番号を識別コードを示す）
３０１　磁気カセットテープ
３０２　テープ開始部分
３０３　テープ走行方向
３０４　シリンダー回転方向
３０５　システム情報領域
３０６　ユーザーデータ領域
３０７　記録トラック
【図１】
2004022062.tif 000003
【図２】
2004022062.tif 000004
【図３】
2004022062.tif 000005
【図４】
2004022062.tif 000006
【図５】
2004022062.tif 000007
【図６】
2004022062.tif 000008